(57)【要約】  幌１は、左右側面の開口状態をそれぞれ独立に調整できるようにしたものである。幌１は、幌本体２と、幌本体２の前方縁に接続されて座席の前方を覆う前カバー部材４と、前カバー部材４の左右の側縁に接続されて座席の左右の側面を覆う左側面カバー部材５および右側面カバー部材６とを備える。左右の側面カバー部材５，６は、前カバー部材４の上に重なるように折畳まれるものである。また、前カバー部材４および左右の側面カバー部材５，６の積層体３は、幌本体２の上面上に重なるように折畳まれるものである。【特許請求の範囲】
【請求項１】
子供受入空間を形成する本体と、
前記子供受入空間の上方を覆うように前記本体に取り付けられる幌とを備え、
前記幌は、前記子供受入空間の上方に広がる覆い部を含み、
前記覆い部は、それぞれが透過光の照度調節機能を持つ複数の照度調節領域を含む、育児器具。
【請求項２】
前記複数の照度調節領域は、左右に分かれて位置している、請求項１に記載の育児器具。
【請求項３】
前記複数の照度調節領域は、前後左右に分かれて位置している、請求項１に記載の育児器具。
【請求項４】
前記各照度調節領域は、内側に位置する内側シートと、前記内側シート上に重なる外側シートとを含み、
前記外側シートは、開閉可能に設けられている、請求項１に記載の育児器具。
【請求項５】
前記内側シートは、メッシュ地である、請求項４に記載の育児器具。
【請求項６】
前記外側シートは、紫外線の透過を遮断する素材から作られている、請求項４に記載の育児器具。
【請求項７】
前記幌は、前記本体に取り付けられる支持部材と、その下端部が前記支持部材に回動可能に連結される第１幌骨と、前記第１幌骨よりも後方に位置し、その下端部が前記支持部材に回動可能に連結される第２幌骨とを含み、
前記覆い部は、前記第１幌骨よりも前方に位置する前方部と、前記第１幌骨と前記第２幌骨との間に位置する中央部と、前記第２幌骨よりも後方に位置する後方部とを含み、
前記覆い部の前方部、中央部および後方部が、それぞれ、複数の照度調節領域を有している、請求項１に記載の育児器具。
【請求項８】
前記覆い部の前方部、中央部および後方部は、それぞれ、照度調節機能を持つ中間領域と、この中間領域の両側部に位置し、照度調節機能を持つ側部領域とを有している、請求項７に記載の育児器具。
【請求項９】
前記幌は、前記覆い部の後方部の下端縁に接続され、かつその前端部が前記支持部材に回動可能に連結される第３幌骨をさらに含む、請求項７に記載の育児器具。
【請求項１０】
左右側面の開口状態をそれぞれ独立に調整できるようにしたことを特徴とする、育児器具の幌。
【請求項１１】
幌本体と、
前記幌本体の前方縁に接続されて座席の前方を覆う前カバー部材と、
前記前カバー部材の左右の側縁に接続されて座席の左右側面を覆う左右の側面カバー部材とを備え、
前記左右の側面カバー部材は前記前カバー部材の上に重なるように折りたたまれるものであり、
前記前カバー部材および前記左右の側面カバー部材の積層体は、前記幌本体の上面上に重なるように折りたたまれるものである、育児器具の幌。
【請求項１２】
前記幌本体は、その上面部分に開口窓を有しており、
前記前カバー部材および前記左右の側面カバー部材の積層体は、前記開口窓を覆うように折りたたまれるものである、請求項１１に記載の育児器具の幌。
【請求項１３】
前記開口窓には、メッシュ地が張られている、請求項１２に記載の育児器具の幌。
【請求項１４】
前記開口窓は前記幌本体の前方縁側を底辺とする三角形の形状を有し、
前記前カバー部材および前記左右の側面カバー部材の積層体は、前記幌本体の前方縁側を底辺とする三角形の形状を有して前記開口窓を覆うように折りたたまれる、請求項１２に記載の育児器具の幌。
【請求項１５】
左右側面にそれぞれ開口窓を有する幌本体と、
前記左側面の開口窓を覆う左側面カバー部材と、
前記右側面の開口窓を覆う右側面カバー部材とを備える、育児器具の幌。
【請求項１６】
前記左右側面の開口窓には、それぞれメッシュ地が張られている、請求項１５に記載の育児器具の幌。
【請求項１７】
育児器具における子供受入空間の上方を覆う幌であって、
逆Ｕ字形状を有し、その両端が育児器具本体に支持される第１幌骨と、
前記第１幌骨よりも前方の領域に位置する第１幌布と、
前記第１幌骨よりも後方の領域に位置する第２幌布とを備え、
前記第１幌布は、第１下層布と、この第１下層布上に開閉可能に重なる第１上層布とを含み、
前記第１上層布は、前記第１下層布の左側部領域を開閉可能に覆う第１左側部上層布と、前記第１下層布の右側部領域を開閉可能に覆う第１右側部上層布とを含み、
前記第２幌布は、第２下層布と、この第２下層布上に開閉可能に重なる第２上層布とを含み、
前記第２上層布は、前記第２下層布の左側部領域を開閉可能に覆う第２左側部上層布と、前記第２下層布の右側部領域を開閉可能に覆う第２右側部上層布とを含む、育児器具の幌。
【請求項１８】
前記第２幌布の後方縁を支持するように逆Ｕ字形状を有し、その両端が育児器具本体に支持される第２幌骨と、
前記第２幌骨よりも後方の領域に位置する第３幌布とを備え、
前記第３幌布は、第３下層布と、この第３下層布上に開閉可能に重なる第３上層布とを含み、
前記第３上層布は、前記第３下層布の左側部領域を開閉可能に覆う第３左側部上層布と、前記第３下層布の右側部領域を開閉可能に覆う第３右側部上層布とを含む、請求項１７に記載の育児器具の幌。
【請求項１９】
前記第３幌布の後方縁を支持するように逆Ｕ字形状を有し、その両端が育児器具本体に支持される第３幌骨を備える、請求項１８に記載の育児器具の幌。
【請求項２０】
前記第１幌骨、第２幌骨および第３幌骨を回動可能に支持するベース支柱を備え、
前記ベース支柱は、育児器具本体に取外し可能に接続される、請求項１９に記載の育児器具の幌。
【請求項２１】
前記各下層布は、メッシュ地で形成されており、
前記各上層布は、光遮断効果の高い生地で形成されている、請求項１７に記載の育児器具の幌。
【請求項２２】
前記第１下層布は、上に捲りあげることができるようにされている、請求項１７に記載の育児器具の幌。
【発明の詳細な説明】
【技術分野】
【０００１】
この発明は、子供ベッド、育児椅子、乳母車、自動車用子供座席等の育児器具に関し、特に育児器具における子供受入空間の上方を覆う幌に関するものである。
【背景技術】
【０００２】
アップリカ育児研究会監修のカタログ「２００４年版  アップリカの育児書  赤ちゃん幸せの本」には、種々の育児器具が掲載されている。例えば、第９９〜１３６頁に自動車用子供座席が掲載され、第１３７〜１７２頁に乳母車が掲載され、第１７３〜１９８頁に子守帯が掲載され、第１９８〜２１４頁に子供用ベッドおよび椅子が掲載されている。これらの育児器具のうち、戸外で使用される乳母車については、日除けのための幌が装備されている。【０００３】
乳母車に取付けられる幌は、主として、座席に着座した子供を強い陽射しから保護する機能を有している。幌は、複数の幌骨と、この幌骨上に延在する幌布とを備える。このような幌を備えた乳母車は、市場に多く提供されている。その中に、座席内への通風を確保するために、幌布に通風窓を備えたものもある。【０００４】
暑くて湿気の多い日には通風窓を開放することにより、座席内に涼感を与えることができる。一方、寒い日や風の強い日には、通風窓を閉鎖しておく必要がある。そのため、従来の通風窓付き幌を有する場合、窓を覆う柔らかい布製等のカバー部材を設けている。【０００５】
幌に設けられる窓には、上記のような通風を意図したものと、座席内の子供の様子を透視できるようにすることを意図したものとがある。後者の場合、一般的には、幌布に開口を設け、この開口に透明フィルムを取付けている。陽射しは、透明フィルムを通過して座席内に入り込むので、この透明フィルムの窓も必要に応じて閉鎖できるようにするために、窓を覆う柔らかい布製等のカバー部材を設ける工夫がなされている。【０００６】
特開２００２−１８７５５４号公報は、幌を備えた乳母車を開示している。この公報に開示された幌は、陽射しの入射角度の変化に対応できるようにするために、幌の前方に突出する位置と、幌の内側に収容される位置とが選択可能に設けられた日除け部材を備える。【０００７】
特開２００２−１８７５５４号公報に開示された幌では、日除け部材によって幌前方から入射する陽射しの変化に対応しようとするものであるが、幌の側方の環境変化に対しては特に工夫を施していない。【０００８】
戸外で使用される乳母車には、主として、日除けおよび風塵防止の観点から、幌が装備されることが多い。それに対して、室内で使用される育児器具の場合、日光や風を考慮する必要が無いので、子供受入空間の上部は完全に開放されている。しかしながら、本願発明者は、室内で使用される育児器具においても、子供受入空間の上部を覆う必要性があることを認識した。その理由は、次の通りである。【０００９】
第１の理由は、目の発達が十分ではない乳児に関連するものである。生後間もない乳児は目の発達が十分ではなく、日中の室内の明るさが乳児の目に強すぎる刺激を与えるおそれがある。同様に、室内の照明器具の照明光も、乳児の目には強すぎる可能性がある。このような観点から、室内で使用される育児器具においても、生後間もない乳児を光の刺激から守るために、子供受入空間の上部を覆う必要がある。【００１０】
第２の理由は、乳児の睡眠環境を整える観点からのものである。近年、乳幼児の睡眠環境は、非常に悪くなっている。これは、もっぱら母親の夜型化等に起因する。母親は、夜遅くまで照明をつけ、テレビを見ており、その横で乳児が寝ていることがある。照明光によって明るくされた雰囲気では、乳児は十分な睡眠を取ることができない。かかる観点から、室内で使用される育児器具においても、乳児が十分な睡眠を取るために、子供受入空間の上部を覆う必要がある。【００１１】
第３の理由は、乳児の睡眠および覚醒のリズムに関連するものである。乳児は、一定の周期で睡眠と覚醒とを規則正しく繰り返す。このリズムはサーカディアンリズムと呼ばれ、体温変化によってもたらされていると言われている。ヒトの体温リズムが正確に動いているとすると、体温は、午後４〜７時に最も高く、夜になるに従い低下し、早朝の午前４〜７時に最低となり、再び上昇する傾向が見られる。乳児に対する規則正しい生体リズムを考慮すると、睡眠時においても昼夜の区別をしっかりとつけることが重要と思われる。具体的には、乳児が夜寝ているときには育児器具の子供受入空間を最も暗くし、昼寝の際には育児器具の子供受入空間を暗くしすぎないことが重要と思われる。かかる観点から、室内で使用される育児器具においても、規則正しい生体リズムを守るために、子供受入空間の上部を覆う必要がある。
【発明の開示】
【００１２】
この発明の目的は、乳児の健全な発育を促進することのできる育児器具を提供することである。
【００１３】
この発明の他の目的は、育児器具の子供受入空間の明るさを調節することのできる幌を提供することである。
【００１４】
この発明のさらに他の目的は、幌の側方の環境変化に対して柔軟に対応できる育児器具の幌を提供することである。
【００１５】
この発明の一つの局面における育児器具は、子供受入空間を形成する本体と、子供受入空間の上方を覆うように本体に取り付けられる幌とを備える。幌は、子供受入空間の上方に広がる覆い部を含む。覆い部は、それぞれが透過光の照度調節機能を持つ複数の照度調節領域を含む。
【００１６】
上記構成の本発明によれば、幌の覆い部が複数の照度調節領域を有しているので、各照度調節領域を透過する光の照度を調節することにより、子供受入空間の明るさを複数の段階に調節できる。
【００１７】
一つの実施形態では、複数の照度調節領域は、左右に分かれて位置している。このような構成であれば、育児器具の左右の外部環境に応じて、柔軟に透過光の照度を調節できる。より柔軟に対応するために、好ましい実施形態では、複数の照度調節領域は、前後左右に分かれて位置している。
【００１８】
好ましくは、各照度調節領域は、内側に位置する内側シートと、内側シート上に重なる外側シートとを含む。外側シートは、開閉可能に設けられている。一つの実施形態では、内側シートは、メッシュ地である。また、一つの実施形態では、外側シートは、紫外線の透過を遮断する素材から作られている。
【００１９】
さらに、一つの実施形態では、幌は、本体に取り付けられる支持部材と、その下端部が支持部材に回動可能に連結される第１幌骨と、第１幌骨よりも後方に位置し、その下端部が支持部材に回動可能に連結される第２幌骨とを含む。覆い部は、第１幌骨よりも前方に位置する前方部と、第１幌骨と第２幌骨との間に位置する中央部と、第２幌骨よりも後方に位置する後方部とを含む。覆い部の前方部、中央部および後方部が、それぞれ、複数の照度調節領域を有している。
【００２０】
より具体的には、覆い部の前方部、中央部および後方部は、それぞれ、照度調節機能を持つ中間領域と、この中間領域の両側部に位置し、照度調節機能を持つ側部領域とを有している。好ましくは、上記の幌は、覆い部の後方部の下端縁に接続され、かつその前端部が支持部材に回動可能に連結される第３幌骨をさらに含む。
【００２１】
この発明の他の局面における育児器具の幌は、左右側面の開口状態をそれぞれ独立に調整できるにしたことを特徴とする。
【００２２】
この発明が適用されるべき育児器具の一例として乳母車を考えると、この乳母車の幌の本来の機能は、陽射しを遮ることにある。一方、幌の存在は、座席の通気性を阻害する。そこで、本発明では、左右側面の開口状態を独立に調整することにより、左右のいずれかの方向からの陽射しを遮ることができるようにし、また必要に応じて通気性を適度に調整できるようにしている。例えば、幌の左側方からの陽射しを遮りながら座席の通気性を確保しようとする場合には、幌の左側面の開口を閉じ、右側面の開口を開放する。また、左右側方からの陽射しの入射がなく、十分な通気性が必要なときには、左右側面の開口を開放する。さらに、座席内の子供を風や埃から守ろうとする場合には、左右側面の開口を閉じる。
【００２３】
また、幌の機能として、座席内の明るさを調整する機能も持たせたい。生後間もない乳幼児にとって、天気の良い日の戸外の明るさは眩しすぎる可能性がある。この場合にも、左右の側面の開口状態を調整することにより、座席内の明るさを調整することができる。
【００２４】
この発明の一つの実施形態に係る育児器具の幌は、幌本体と、幌本体の前方縁に接続されて座席の前方を覆う前カバー部材と、前カバー部材の左右の側縁に接続されて座席の左右側面を覆う左右の側面カバー部材とを備える。左右の側面カバー部材は前カバー部材の上に重なるように折りたたまれるものである。また、前カバー部材および左右の側面カバー部材の積層体は、幌本体の上面上に重なるように折りたたまれるものである。
【００２５】
上記構成の幌によれば、以下の４形態を実現できる。
【００２６】
（１）座席の前方および左右側面のすべてを開放する状態。
【００２７】
（２）座席の前方を閉じ、左右側面を開放する状態。
【００２８】
（３）座席の前方および左側面を閉じ、右側面を開放する状態。
【００２９】
（４）座席の前方および右側面を閉じ、左側面を開放する状態。
【００３０】
上記の実施形態において、好ましくは、幌本体は、その上面部分に開口窓を有しており、前カバー部材および左右の側面カバー部材の積層体は、開口窓を覆うように折りたたまれるものである。育児器具の一例としての乳母車を移動操作する母親等は、座席内の乳幼児の様子を目で観察できれば安心できる。この好ましい実施形態によれば、幌本体の上面部分の開口窓を開放することにより、母親等は座席内の乳幼児の様子を観察できる。
【００３１】
上記の実施形態において、好ましくは、幌本体の開口窓には、メッシュ地が張られている。メッシュ地は、明るさを緩和する機能を有しているので、座席内の明るさ調整をきめ細かく行なうことができるようになる。
【００３２】
上記の実施形態において、例えば、開口窓は幌本体の前方縁側を底辺とする三角形の形状を有している。これに対応して、前カバー部材および左右の側面カバー部材の積層体は、幌本体の前方縁側を底辺とする三角形の形状を有して開口窓を覆うように折りたたまれる。このような形態であれば、デザイン的に優れたものとなる。
【００３３】
この発明の他の実施形態に係る育児器具の幌は、左右側面にそれぞれ開口窓を有する幌本体と、左側面の開口窓を覆う左側面カバー部材と、右側面の開口窓を覆う右側面カバー部材とを備える。
【００３４】
上記の実施形態に係る幌によれば、以下の３形態を実現できる。
【００３５】
（１）左右の側面の開口窓を開放する状態。
【００３６】
（２）左側面の開口窓を閉じ、右側面の開口窓を開放する状態。
【００３７】
（３）右側面の開口窓を閉じ、左側面の開口窓を開放する状態。
【００３８】
上記の実施形態において、好ましくは、左右側面の開口窓に、それぞれメッシュ地が張られている。メッシュ地を張ることにより、座席内の明るさ調整をきめ細かく行なうことができるようになる。
【００３９】
この発明のさらに他の局面における幌は、逆Ｕ字形状を有し、その両端が育児器具本体に支持される第１幌骨と、第１幌骨よりも前方の領域に位置する第１幌布と、第１幌骨よりも後方の領域に位置する第２幌布とを備える。第１幌布は、第１下層布と、この第１下層布上に開閉可能に重なる第１上層布とを含む。第１上層布は、第１下層布の左側部領域を開閉可能に覆う第１左側部上層布と、第１下層布の右側部領域を開閉可能に覆う第１右側部上層布とを含む。第２幌布は、第２下層布と、この第２下層布上に開閉可能に重なる第２上層布とを含む。第２上層布は、第２下層布の左側部領域を開閉可能に覆う第２左側部上層布と、第２下層布の右側部領域を開閉可能に覆う第２右側部上層布とを含む。
【００４０】
上記構成の本発明によれば、第１左側部上層布、第１右側部上層布、第２左側部上層布および第２右側部上層布の開閉状態を調節することにより、子供受入空間の明るさを数段階に調整できる。従って、子供受入空間の明るさ調節により、乳児の健全な発育を促進することができる。
【００４１】
この発明の一つの実施形態では、幌は、第２幌布の後方縁を支持するように逆Ｕ字形状を有し、その両端が育児器具本体に支持される第２幌骨と、第２幌骨よりも後方の領域に位置する第３幌布とを備える。第３幌布は、第３下層布と、この第３下層布上に開閉可能に重なる第３上層布とを含む。第３上層布は、第３下層布の左側部領域を開閉可能に覆う第３左側部上層布と、第３下層布の右側部領域を開閉可能に覆う第３右側部上層布とを含む。
【００４２】
幌は、さらに、第３幌布の後方縁を支持するように逆Ｕ字形状を有し、その両端が育児器具本体に支持される第３幌骨を備えるものであってもよい。この場合、好ましくは、幌は、第１幌骨、第２幌骨および第３幌骨を回動可能に支持するベース支柱を備える。このベース支柱は、育児器具本体に取外し可能に接続される。
【００４３】
幌布の材質に注目すると、例えば、各下層布は、メッシュ地で形成され、各上層布は、光遮断効果の高い生地で形成される。
【００４４】
好ましくは、第１下層布は、上に捲りあげることができるようにされている。第１下巻層を上に捲り上げると、子供受入空間の前方は大きく開放される。
【図面の簡単な説明】
【００４５】
【図１】この発明の一実施形態に係る乳母車の幌を側方から見た斜視図である。
【図２】この発明の一実施形態に係る乳母車の幌を上方から見た斜視図である。
【図３】前カバー部材および左右の側面カバー部材からなる積層体を前方に垂らした状態を示す図である。
【図４】前カバー部材を前方に垂らした状態を示す図である。
【図５】前カバー部材および左側面カバー部材を展開した状態を示す図である。
【図６】前カバー部材および右側面カバー部材を展開した状態を示す図である。
【図７】前カバー部材および左右の側面カバー部材を展開した状態の図解図である。
【図８】図７に示す状態から、右側面カバー部材を折りたたんでいる状態を示す図解図である。
【図９】この発明の他の実施形態に係る乳母車の幌を示す図である。
【図１０】図９に示す幌において、前カバー部材および左右の側面カバー部材を展開した状態を示す図解図である。
【図１１】この発明のさらに他の実施形態に係る乳母車の幌を示す図である。
【図１２】図１１に示す幌において、左側面カバー部材を折りたたんで開口窓を露出させている状態を示す図である。
【図１３】この発明のさらに他の実施形態に係る子供ベッドの幌を示す斜視図である。
【図１４】この発明のさらに他の実施形態に係る子供ベッドの幌を示す正面図である。
【図１５】この発明のさらに他の実施形態に係る子供ベッドの幌を示す側面図である。
【図１６】この発明のさらに他の実施形態に係る子供ベッドの幌を示す背面図である。
【図１７】第１幌骨、第２幌骨および第３幌骨の基端部付近の構造を示す図である。
【図１８】この発明のさらに他の実施形態に係る幌の使用形態の一例を示す図である。
【図１９】この発明のさらに他の実施形態に係る幌の使用形態の他の例を示す図である。
【図２０】この発明のさらに他の実施形態に係る幌の使用形態の他の例を示す図である。
【図２１】この発明のさらに他の実施形態に係る幌の使用形態の他の例を示す図である。
【図２２】この発明のさらに他の実施形態に係る幌の使用形態の他の例を示す図である。
【図２３】この発明のさらに他の実施形態に係る幌の使用形態の他の例を示す図である。
【図２４】この発明のさらに他の実施形態に係る幌の使用形態の他の例を示す図である。
【図２５】この発明のさらに他の実施形態に係る幌の使用形態の他の例を示す図である。
【図２６】幌の他の形態を示す図解図である。
【図２７】図２６に示した幌の上層布を開いた状態を示す図解図である。
【図２８】幌のさらに他の形態を示す図解的側面図である。
【図２９】図２８に示した幌の覆い部の図解的平面図である。
【発明を実施するための最良の形態】
【００４６】
本発明が適用されるべき育児器具は、子供受入空間を形成する本体と、子供受入空間の上方を覆うように本体に取り付けられる幌とを備える。幌は、子供受入空間の上方に広がる覆い部を含み、この覆い部は、それぞれが透過光の照度調節機能を持つ複数の照度調節領域を含む。【００４７】
育児器具には、子供ベッド、育児椅子、乳母車、自動車用子供座席等があるが、図１〜図１２には育児器具の一例としての乳母車を示し、図１３〜図２７には育児器具の他の例としての室内用子供ベッドを示し、図２８および図２９には育児器具の一例としての乳母車の幌を示している。以下に、各実施形態の具体的な構造を説明する。【００４８】
図１〜図８は、この発明の一実施形態に係る乳母車の幌１を示している。幌１は、左右側面の開口状態をそれぞれ独立に調整できるようにしたものである。より具体的に説明すると、幌１は、幌本体２と、幌本体２の前方縁に接続されて座席の前方を覆う前カバー部材４（図４参照）と、前カバー部材４の左右の側縁に接続されて座席の左右の側面を覆う左側面カバー部材５（図５参照）および右側面カバー部材６（図６参照）とを備える。左右の側面カバー部材５，６は、前カバー部材４の上に重なるように折りたたまれるものである（図３参照）。また、前カバー部材４および左右の側面カバー部材５，６の積層体３は、幌本体２の上面上に重なるように折りたたまれるものである（図１および図２参照）。【００４９】
幌本体２は、その上面部分に開口窓７を有しており、この開口窓７にメッシュ地が張られている（図３〜図６参照）。メッシュ地の張られた開口窓７は、幌本体２の前方縁側を底辺とする三角形の形状を有し、前カバー部材４および左右の側面カバー部材５，６の積層体３は、幌本体２の前方縁側を底辺とする三角形の形状を有して開口窓７を覆うように折りたたまれる。【００５０】
図７は、幌本体２の開口窓７と、前カバー部材４と、左側面カバー部材５と、右側面カバー部材６とを展開した状態の図解図であり、図８は、右側面カバー部材６を前カバー部材４上に重なるように折りたたんだ状態の図解図である。図示するように、前カバー部材４は、幌本体２の開口窓７に対してほぼ対称的な三角形の布地４ａと、その両側に位置する小さな三角形のメッシュ地４ｂとを含む。左側面カバー部材５は、前カバー部材４のメッシュ地４ｂに接続された小さな三角形のメッシュ地５ｂと、その横に接続された小さな三角形の布地５ａとを含む。右側面カバー部材６は、前カバー部材４のメッシュ地４ｂに接続された小さな三角形のメッシュ地６ｂと、その横に接続された小さな三角形の布地６ａとを含む。【００５１】
上記のように幌本体２の開口窓７にメッシュ地を張ることに加えて、前カバー部材４および左右の側面カバー部材５，６が部分的にメッシュ地を有することにより、座席の明るさおよび通気性をきめ細かく調整できる。【００５２】
図８に示すように、右側面カバー部材６を折りたたむときには、前カバー部材４の一方のメッシュ地４ｂを布地４ａ上に重ならせ、さらに右側面カバー部材６のメッシュ地６ｂを前カバー部材４のメッシュ地４ｂ上に重ならせ、さらに右側面カバー部材６の布地６ａをメッシュ地６ｂ上に重ならす。左側面カバー部材５の折りたたみ動作も同様である。【００５３】
各カバー部材および各部の折りたたみ状態の形態を安定に維持するために、折りたたみ時に対面する部位に面ファスナ等の接合手段を設けるようにするのが好ましい。【００５４】
次に、図１〜図６に示す各形態について簡単に説明する。【００５５】
図１および図２に示す状態では、積層体３が幌本体２の開口窓７を覆うように位置している。座席の前方および左右側面は開放されているので、十分な通気性を確保できる。【００５６】
図３は、積層体３を前方に垂らして幌本体２の開口窓７を開放している状態を示している。この形態を安定して維持するために、乳母車の前ガード部材８と前カバー部材４とを面ファスナ等の接合手段を介して接続するようにしてもよい。図３に示す状態では、幌本体２の上面の開口窓７が開放されているので、乳母車を移動操作する母親等は、この開口窓７を通して子供の様子を観察できる。また、上部から陽射しが入射する場合であっても、その陽射しは開口窓７に張られたメッシュ地を通過するので光強度が緩和される。また、左右の側面カバー部材５，６に加えて、前カバー部材４のメッシュ地４ｂも折りたたまれて前カバー部材４の布地上に重なっているので、座席の左右側面は大きく開放される。【００５７】
図４は、前カバー部材４のメッシュ地４ｂを横に開き、左右の側面カバー部材５，６を前カバー部材４の下に重ねた状態を示している。この状態においても、座席の左右側面は開放されている。例えば、前方から陽射しが入射するような場合には、この幌の形態が採用される。【００５８】
図５は、前カバー部材４および左側面カバー部材５を展開状態にし、右側面カバー部材６を前カバー部材４の下に重ねた状態を示している。この状態では、座席の右側面が開放されている。例えば、座席の左側方から陽射しが入射するような場合には、この幌の形態が採用される。【００５９】
図６は、前カバー部材４および右側面カバー部材６を展開状態にし、左側面カバー部材５を前カバー部材４の下に重ねた状態を示している。この状態では、座席の左側面が開放されている。例えば、座席の右側方から陽射しが入射するような場合には、この幌の形態が採用される。【００６０】
図９および図１０は、この発明の他の実施形態に係る乳母車の幌１０を示している。幌１０は、上面にメッシュ地が張られた開口窓１２を有する幌本体１１と、開口窓１２を覆うように設けられた積層体１３とを備えている。図示するように、開口窓１２および積層体１３は、四角形の形状を有している。【００６１】
図１０に示すように、積層体１３は、一辺が幌本体１１に接続された四角形の前カバー部材１４と、一辺が前カバー部材１４に接続された四角形の左側面カバー部材１５と、一辺が前カバー部材１４に接続された四角形の右側面カバー部材１６とを備える。【００６２】
図９および図１０に示す実施形態においても、周囲の環境の変化に対応して、幌の形態を柔軟に変化させることができる。【００６３】
図１１および図１２は、この発明のさらに他の実施形態に係る乳母車の幌２０を示している。ドーム形状の幌２０は、左右側面にそれぞれ開口窓２２を有する幌本体２１と、左側面の開口窓２２を覆う左側面カバー部材２３と、右側面の開口窓を覆う右側面カバー部材とを備える。図示した実施形態では、左右側面の開口窓２２にメッシュ地が張られている。また、左側面カバー部材２３の両側辺と幌本体２４とは、スライドファスナ２４を介して離脱可能に接続されている。同様に、右側面カバー部材の両側辺と幌本体２４とは、スライドファスナを介して離脱可能に接続されている。【００６４】
図１１に示す状態では、左側面カバー部材２３が幌本体２１の左側面の開口窓２２を覆い、右側面カバー部材が幌本体の右側面の開口窓を覆っている。この形態は、例えば、座席内の乳幼児を風や埃から守ろうとするときや、座席内を暗くしようとするときに採用される。【００６５】
図１２に示す状態では、左側面カバー部材２３が幌本体２１の上面に重なるように折りたたまれ、左側面の開口窓２２が開放されている。図では確認できないが、右側面カバー部材は幌本体の右側面の開口窓を覆ったままである。この形態は、例えば、右側方からの陽射しの入射を遮りながら、座席内にある程度の通気性を維持しようとするときに採用される。また、図１１に示す形態と比較して、メッシュ地が張られた一方の側面開口２２が露出しているので、座席はやや明るくなる。【００６６】
図示していないが、右側面カバー部材を幌本体２１の上面に重なるように折りたたみ、右側面の開口窓を開放する形態をとることもできる。この形態では、幌本体２１の左側面の開口窓２２は、左側面カバー部材２３によって覆われたままである。この形態は、例えば、左側方からの陽射しの入射を遮りながら、座席内にある程度の通気性を維持しようとするときに採用される。【００６７】
図１３〜図１６は、育児器具の他の例としての室内用子供ベッド２００を示している。子供ベッド２００は、ベッド状の形態と椅子状の形態とに切換え可能である。子供ベッド２００の子供受入空間の上部は、幌１００によって覆われている。図示した実施形態では、幌１００は、子供受入空間を隙間無く覆う形状を有している。【００６８】
具体的には、幌１００は、逆Ｕ字形状を有し、その両端が子供ベッド２００に支持される第１幌骨１０１と、第１幌骨１０１よりも前方の領域に位置する第１幌布１１０と、第１幌骨よりも後方の領域に位置する第２幌布１２０と、第２幌布１２０の後方縁を支持するように逆Ｕ字形状を有し、その両端が子供ベッド２００に支持される第２幌骨１０２と、第２幌骨１０２よりも後方の領域に位置する第３幌布１３０と、第３幌布１３０の後方縁を支持するように逆Ｕ字形状を有し、その両端が子供ベッド２００に支持される第３幌骨１０３とを備える。【００６９】
図１７は、第１幌骨１０１、第２幌骨１０２および第３幌骨１０３の基端部付近の構造を示している。第１、第２および第３幌骨１０１，１０２，１０３の基端部は、軸１０５を介して、ベース支柱１０４に回動可能に支持されている。ベース支柱１０４は、子供ベッド２００に固定されている筒体２０１に取外し可能に受入れられている。好ましくは、隣接する幌骨間の展開角度を任意に調節できるようにするために、各幌骨は、任意の角度の位置で固定されることができるようになっている。【００７０】
最も前方に位置する第１幌布１１０は、目の細かいメッシュ地で形成された第１下層布１１１と、第１下層布１１１の上に開閉可能に重なる第１上層布１１２ａ，１１２ｂとを含む。第１上層布は、第１下層布１１１の左側部領域を開閉可能に覆う第１左側部上層布１１２ａと、第１下層布１１１の右側部領域を開閉可能に覆う第１右側部上層布１１２ｂとを含む。第１左右側部上層布１１２ａ，１１２ｂは、例えば、光遮断効果の高い生地で形成される。図示した実施形態では、第１下層布１１１の前方領域は、上層布１１２ａ，１１２ｂによって覆われていない。【００７１】
図１８に示すように、第１下層布１１１は、上に捲りあげて保持されることができるようになっている。この図１８に示す状態では、子供受入空間の前方は完全に開放されている。【００７２】
第１幌骨１０１と第２幌骨１０２との間に位置する第２幌布１２０は、メッシュ地の第２下層布１２１が張られた窓（図２０および図２１参照）と、この窓を開閉可能に覆う第２上層布１２２とを含む。第２上層布１２２は、例えば、光遮断効果の高い生地で形成されている。【００７３】
第２上層布１２２は、第２下層布１２１の左側部領域を開閉可能に覆う第２左側部上層布１２２ａと、第２下層布１２１の右側部領域を開閉可能に覆う第２右側部上層布１２２ｂとを含む。第２左側部上層布１２２ａと第２右側部上層布１２２ｂとはスライドファスナー１２３を介して分離可能に接続されている。第２上層布１２２は、例えば面ファスナを介して、第２下層布１２１からなる窓の周囲に取外し可能に接合される。【００７４】
第２幌骨１０２と第３幌骨１０３との間に位置する第３幌布１３０は、メッシュ地の第３下層布１３１が張られた窓（図２４および図２５参照）と、この窓を開閉可能に覆う第３上層布１３２とを含む。第３上層布１３２は、例えば、光遮断効果の高い生地によって形成されている。【００７５】
第３上層布１３２は、第３下層布１３１の左側部領域を開閉可能に覆う第３左側部上層布１３２ａと、第３下層布１３１の右側部領域を開閉可能に覆う第３右側部上層布１３２ｂとを含む。第３左側部上層布１３２ａと第３右側部上層布１３２ｂとはスライドファスナー１３３を介して分離可能に接続されている。第３上層布１３２は、例えば面ファスナを介して、第３下層布１３１からなる窓の周囲に取外し可能に接合される。【００７６】
図示した実施形態によれば、子供受入空間の明るさを、以下に記載するように、数段階に調節することができる。【００７７】
図１３〜図１６に示す状態では、光遮断効果の高い各上層布１１２ａ，１１２ｂ，１２２ａ，１２２ｂ，１３２ａ，１３２ｂがそれぞれ下層布１１１，１２１，１３１を覆っているので、子供受入空間は最も暗くなる。この状態においても、子供受入空間の前方領域は、第１上層布１１２に覆われていないので、母親はメッシュ地の下層布１１１を通してベッド２００内の子供を観察できる。【００７８】
図１８に示す状態では、前方に位置するメッシュ地の下層布１１１のみを上に捲り上げて保持している。この状態では、子供受入空間の前方領域が完全に開放されているので、図１３に示す全閉状態に比べて子供受入空間は明るくなる。【００７９】
図１９に示す状態では、第１右側部上層布１１２ｂのみを上に捲り上げて第１下層布１１１の右側部領域を露出させている。この状態の子供受入空間は、図１３に示す全閉状態に比べてやや明るい。【００８０】
図２０に示す状態では、第２左側部上層布１２２ａを右側方に捲り上げて第２下層布１２１の左側部領域を露出させている。この状態の子供受入空間は、図１３に示す全閉状態に比べてやや明るい。【００８１】
図２１に示す状態では、第２上層布１２０のスライドファスナー１２３を開いて第２左側部上層布１２２ａと第２右側部上層布１２２ｂとを分離している。さらに、第２左側部上層布１２２ａを左側方に捲り上げて第２下層布１２１の中央領域を露出させている。この状態の子供受入空間は、図１３に示す全閉状態に比べてやや明るい。【００８２】
図２２に示す状態では、図２１に示す状態から、さらに第２右側部上層布１２２ｂを右側方に捲り上げている。【００８３】
図２３に示す状態では、第２左側部上層布１２２ａおよび第２右側部上層布１２２ｂをそれぞれ中央側に折り返すことにより、第２下層布１２１の左右の側部領域を露出させている。【００８４】
図２４に示す状態では、第３左側部上層布１３２ａおよび第３右側部上層布１３２ｂをそれぞれ中央側に折り返すことにより、第３下層布１３１の左右の側部領域を露出させている。【００８５】
図２５に示す状態では、第３上層布のスライドファスナー１３３を開いて第３左側部上層布１３２ａと第３右側部上層布１３２ｂとを分離している。さらに、第３左側部上層布１３２ｂおよび第３右側部上層布１３２ａをそれぞれ左右の側方に折り返すことにより、第３下層布１３１の中央領域を露出させている。【００８６】
上記のように、第１左側部上層布１１２ａ、第１右側部上層布１１２ｂ、第２左側部上層布１２２ａ、第２右側部上層布１２２ｂ、第３左側部上層布１３２ａおよび第３右側部上層布１３２ｂの開閉状態を適宜調節することにより、子供ベッド２００の子供受入空間の明るさを数段階に調節できる。【００８７】
なお、幌１００の立体的な形状を維持するために少なくとも１本の幌骨は必要であるが、第２幌骨１０２および第３幌骨１０３を省略することも可能である。この場合には、幌は、第１幌骨１０１と、その前後に位置する第１および第２幌布１１０，１２０とを有するだけのものとなる。【００８８】
図２６および図２７は、幌の他の形態を示す図解図である。半円形の下層布３０１上に重なるように、４分の１円形状の左側上層布３０２および右側上層布３０３が設けられている。下層布３０１は、メッシュ地で形成されている。【００８９】
左側上層布３０２のほぼ中央には、紐３０４が通されている。この紐３０４の先端は左側上層布３０２の下端縁に連結されている。同様に、右側上層布３０３のほぼ中央には、紐３０５が通されている。この紐３０５の先端は右側上層布３０３の下端縁に連結されている。【００９０】
図２６は、左右の上層布３０２，３０３によって下層布３０１の全面を覆っている状態を示している。この状態から、紐３０４および３０５を上方に引張ると、左右の上層布３０２および３０３の下端縁は上方に向かって引き上げられ、最終的に図２７に示すように、左右の上層布３０２および３０３はリボン状の形態に折畳まれて下層布３０１を露出する。このように上層布３０２および３０３をリボン状に畳む構造は、デザイン的な興味を惹くものとなる。【００９１】
図２８および図２９は、幌のさらに他の形態を示す図解図である。図２８では、覆い部としての幌布４０６を想像線で示している。また、図２９は、覆い部としての幌布４０６の図解的平面図である。【００９２】
図２８に示すように、幌４００は、乳母車などの育児器具本体に着脱可能に取り付けられる支持部材４０１と、その下端部が支持部材４０１に連結軸４０２を介して回動可能に連結される逆Ｕ字形状の第１幌骨４０３と、第１幌骨４０３よりも後方に位置し、その下端部が支持部材４０１に連結軸４０２を介して回動可能に連結される逆Ｕ字形状の第２幌骨４０４と、第２幌骨４０４よりも後方に位置し、その前端部が連結軸４０２を介して回動可能に連結される逆Ｕ字形状の第３幌骨４０５とを含む。各幌骨４０３，４０４，４０５と支持部材４０１との当接部分には、例えば連結軸４０２を取り囲むようにラチェット係合部が形成されている。従って、各幌骨４０３，４０４，４０５は、任意の角度位置で固定し得るようになっている。【００９３】
幌４００の覆い部としての幌布４０６は、第１幌骨４０３よりも前方に位置する前方部４１０と、第１幌骨４０３と第２幌骨４０４との間に位置する中央部４１１と、第２幌骨４０４よりも後方に位置する後方部４１２とを含む。幌布４０６の前端縁は、例えば、育児器具の座席の前方部分に連結される。また、幌布４０６の後端縁を、育児器具の座席の後方部分に連結するようにするならば、第３幌骨４０５を省略してもよい。【００９４】
好ましくは、覆い部４０６の前方部４１０、中央部４１１および後方部４１２が、それぞれ、複数の照度調節領域を有している。具体的には、図２９の図解的平面図に示すように、覆い部４０６の前方部４１０、中央部４１１および後方部４１２は、それぞれ、照度調節機能を持つ中間領域４１０ａ，４１１ａ，４１２ａと、この中間領域４１０ａ，４１１ａ，４１２ａの両側部に位置し、照度調節機能を持つ側部領域４１０ｂ，４１１ｂ，４１２ｂとを有している。このような構造であれば、幌４００の覆い部４０６を照度調節機能を持つ９領域に分割できるので、子供受入空間の明るさを任意かつ最適に調節することが可能となる。【００９５】
なお、照度調節機能を持たせるための構造の一例は、各領域の覆い部を２重の布として、下層布をメッシュ地、上層布を紫外線透過遮断機能を持つ素材とする。【００９６】
上述した各実施形態は、室内で使用される子供ベッド、車内に設置される自動車用子供座席、戸外で使用される乳母車等の育児器具に適用可能である。【００９７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変更を加えることが可能である。
【産業上の利用可能性】
【００９８】
この発明は、明るさ調節機能を有する育児器具または幌として有利に利用され得る。
【図１】
2006006405.tif 000002
【図２】
2006006405.tif 000003
【図３】
2006006405.tif 000004
【図４】
2006006405.tif 000005
【図５】
2006006405.tif 000006
【図６】
2006006405.tif 000007
【図７】
2006006405.tif 000008
【図８】
2006006405.tif 000009
【図９】
2006006405.tif 000010
【図１０】
2006006405.tif 000011
【図１１】
2006006405.tif 000012
【図１２】
2006006405.tif 000013
【図１３】
2006006405.tif 000014
【図１４】
2006006405.tif 000015
【図１５】
2006006405.tif 000016
【図１６】
2006006405.tif 000017
【図１７】
2006006405.tif 000018
【図１８】
2006006405.tif 000019
【図１９】
2006006405.tif 000020
【図２０】
2006006405.tif 000021
【図２１】
2006006405.tif 000022
【図２２】
2006006405.tif 000023
【図２３】
2006006405.tif 000024
【図２４】
2006006405.tif 000025
【図２５】
2006006405.tif 000026
【図２６】
2006006405.tif 000027
【図２７】
2006006405.tif 000028
【図２８】
2006006405.tif 000029
【図２９】
2006006405.tif 000030
【手続補正書】
【提出日】平成17年12月15日(2005.12.15)
【手続補正１】
【補正対象書類名】特許請求の範囲
【補正対象項目名】請求の範囲
【補正方法】変更
【補正の内容】
【書類名】請求の範囲
【請求項１】（削除）
【請求項２】（削除）
【請求項３】（削除）
【請求項４】（削除）
【請求項５】（削除）
【請求項６】（削除）
【請求項７】（補正後）子供受入空間を形成する本体と、
前記子供受入空間の上方を覆うように前記本体に取り付けられる幌とを備え、
前記幌は、前記子供受入空間の上方に広がる覆い部と、前記本体に取り付けられる支持部材と、その下端部が前記支持部材に回動可能に連結される第１幌骨と、前記第１幌骨よりも後方に位置し、その下端部が前記支持部材に回動可能に連結される第２幌骨とを含み、
前記覆い部は、前記第１幌骨よりも前方に位置する前方部と、前記第１幌骨と前記第２幌骨との間に位置する中央部と、前記第２幌骨よりも後方に位置する後方部とを含み、
前記覆い部の前方部、中央部および後方部が、それぞれ、透過光の照度調節機能を持つ複数の照度調節領域を有している、育児器具。
【請求項８】前記覆い部の前方部、中央部および後方部は、それぞれ、照度調節機能を持つ中間領域と、この中間領域の両側部に位置し、照度調節機能を持つ側部領域とを有している、請求項７に記載の育児器具。
【請求項９】前記幌は、前記覆い部の後方部の下端縁に接続され、かつその前端部が前記支持部材に回動可能に連結される第３幌骨をさらに含む、請求項７に記載の育児器具。
【請求項１０】（削除）
【請求項１１】幌本体と、
前記幌本体の前方縁に接続されて座席の前方を覆う前カバー部材と、
前記前カバー部材の左右の側縁に接続されて座席の左右側面を覆う左右の側面カバー部材とを備え、
前記左右の側面カバー部材は前記前カバー部材の上に重なるように折りたたまれるものであり、
前記前カバー部材および前記左右の側面カバー部材の積層体は、前記幌本体の上面上に重なるように折りたたまれるものである、育児器具の幌。
【請求項１２】前記幌本体は、その上面部分に開口窓を有しており、
前記前カバー部材および前記左右の側面カバー部材の積層体は、前記開口窓を覆うように折りたたまれるものである、請求項１１に記載の育児器具の幌。
【請求項１３】前記開口窓には、メッシュ地が張られている、請求項１２に記載の育児器具の幌。
【請求項１４】前記開口窓は前記幌本体の前方縁側を底辺とする三角形の形状を有し、
前記前カバー部材および前記左右の側面カバー部材の積層体は、前記幌本体の前方縁側を底辺とする三角形の形状を有して前記開口窓を覆うように折りたたまれる、請求項１２に記載の育児器具の幌。
【請求項１５】（削除）
【請求項１６】（削除）
【請求項１７】育児器具における子供受入空間の上方を覆う幌であって、
逆Ｕ字形状を有し、その両端が育児器具本体に支持される第１幌骨と、
前記第１幌骨よりも前方の領域に位置する第１幌布と、
前記第１幌骨よりも後方の領域に位置する第２幌布とを備え、
前記第１幌布は、第１下層布と、この第１下層布上に開閉可能に重なる第１上層布とを含み、
前記第１上層布は、前記第１下層布の左側部領域を開閉可能に覆う第１左側部上層布と、前記第１下層布の右側部領域を開閉可能に覆う第１右側部上層布とを含み、
前記第２幌布は、第２下層布と、この第２下層布上に開閉可能に重なる第２上層布とを含み、
前記第２上層布は、前記第２下層布の左側部領域を開閉可能に覆う第２左側部上層布と、前記第２下層布の右側部領域を開閉可能に覆う第２右側部上層布とを含む、育児器具の幌。
【請求項１８】前記第２幌布の後方縁を支持するように逆Ｕ字形状を有し、その両端が育児器具本体に支持される第２幌骨と、
前記第２幌骨よりも後方の領域に位置する第３幌布とを備え、
前記第３幌布は、第３下層布と、この第３下層布上に開閉可能に重なる第３上層布とを含み、
前記第３上層布は、前記第３下層布の左側部領域を開閉可能に覆う第３左側部上層布と、前記第３下層布の右側部領域を開閉可能に覆う第３右側部上層布とを含む、請求項１７に記載の育児器具の幌。
【請求項１９】前記第３幌布の後方縁を支持するように逆Ｕ字形状を有し、その両端が育児器具本体に支持される第３幌骨を備える、請求項１８に記載の育児器具の幌。
【請求項２０】前記第１幌骨、第２幌骨および第３幌骨を回動可能に支持するベース支柱を備え、
前記ベース支柱は、育児器具本体に取外し可能に接続される、請求項１９に記載の育児器具の幌。
【請求項２１】前記各下層布は、メッシュ地で形成されており、
前記各上層布は、光遮断効果の高い生地で形成されている、請求項１７に記載の育児器具の幌。
【請求項２２】前記第１下層布は、上に捲りあげることができるようにされている、請求項１７に記載の育児器具の幌。
【国際調査報告】
2006006405.tif 000031
2006006405.tif 000032